(57)【要約】【課題】割りピンを工具、治具等を用いず取付け、取外しを可能とし、取外し後も再使用となる事を可能とする。【解決手段】略長方形あるいは略円弧上に屈曲し形成された頭部と、把持部一端から延設された挿通部、把持部の挿通部が延設他端から延設され、略長方形に屈曲し形成された矜持部を備えた抜け止めピンであって、挿通部は直線状であって、矜持部の略長方形は、把持部のなす略長方形によってつくられる平面とおおよそ平行となるように、かつ、略長方形の１つの対角線が挿通部の軸線を含むように形成されたことを特徴とする割りピンである。当該抜け止めピンは弾性変形により軸を矜持、取付け、取外しが可能となり、これにより工具、治具等を用いず取付け、取外しが可能となり、取外し後も再使用可能となる。【選択図】図４
2013108615.tif 000002
【特許請求の範囲】
【請求項１】
略長方形あるいは略円弧状に屈曲し形成された頭部と、頭部一端から延設された挿通部、頭部の挿通部延設他端から延設され、略長方形に屈曲し形成された矜持部を備えた抜け止めピンであって、これらが断面が円弧状の一本の線材からなり、挿通部は直線状であって、矜持部が形成する略長方形は、頭部が形成する略長方形、あるいは円弧状によってつくられる平面とおおよそ平行となるように、かつ、矜持部が形成する略長方形の１つの対角線が挿通部の軸線を含むように屈曲し形成されたことを特徴とする抜け止めピン。
【請求項２】
上記抜け止めピンであって、矜持部の略長方形に内接する円の径が、挿通部が挿通される軸の径より小さく、矜持部が弾性変形により矜持部が形成する略長方形に内接する円の径が軸の径より大きくなるよう拡開し、拡開した略長方形部が復帰しようとする弾性力により略長方形の複数の辺が軸に当接し、軸を矜持する事を特徴とする抜け止めピン。
【発明の詳細な説明】
【技術分野】
【０００１】本発明は、シャックルの取付体がシャックルピンから脱落することを防止するといったように、軸の取付体が軸から脱落する事を防止するためのピンに関するものである。
【背景技術】
【０００２】従来、シャックルの取付体が脱落する事を防止するために、シャックルピンに穿設された孔に割りピンを挿通し、割りピンの一対になった脚部をペンチ等の治具を用いて拡開し、軸に割りピンを取付けることが一般的であった。
例えば、特許文献１には割りピンを用いる例が記載されている。
【先行技術文献】
【０００３】
【特許文献１】  特開２００９−１５０５１９公報
【発明の概要】
【発明が解決しようとする課題】
【０００４】しかし、従来の割りピンを用いる場合、割りピンの対になった脚部を拡開するためにペンチ等の工具あるいは治具が必要であり、また一度拡開させると塑性変形するため、再利用が困難であった。【０００５】そこで、本発明は、軸の取付体の脱落を防止するためのピンの取付け、取外しに工具、治具を必要とせず、簡単に手で取付け、取外しが行うことができ、また、再利用可能なピンを提供するものである。
【課題を解決するための手段】
【０００６】略長方形あるいは略円弧状に屈曲し形成された頭部と、頭部一端から延設された挿通部、頭部の挿通部延設他端から延設され、略長方形に屈曲し形成された矜持部を備えた抜け止めピンであって、これらが断面が円弧状の一本の線材からなり、挿通部は直線状であって、矜持部が形成する略長方形は、頭部が形成する略長方形、あるいは円弧状によってつくられる平面とおおよそ平行となるように、かつ、矜持部が形成する略長方形の１つの対角線が挿通部の軸線を含むように屈曲し形成されたことを特徴とする抜け止めピン。【０００７】上記抜け止めピンであって、矜持部の略長方形に内接する円の径が、挿通部が挿通される軸の径より小さく、矜持部が弾性変形により矜持部が形成する略長方形に内接する円の径が軸の径より大きくなるよう拡開し、拡開した略長方形部が復帰しようとする弾性力により略長方形の複数の辺が軸に当接し、軸を矜持する事を特徴とする抜け止めピン。
【発明の効果】
【０００８】本発明によれば、工具、治具を用いることなく、抜け止めピンを軸に穿設された孔に挿通、取付けることが可能であり、また本発明である抜け止めピンを軸から取外す際にも工具を用いる必要が無く、さらに取付け、取外し時に塑性変形しない。その結果、挿脱作業が効率化され、作業時間の短縮化を図るとともに、軸から抜け止めピンを取外した後、再利用が可能である。
【図面の簡単な説明】
【０００８】
【図１】本発明の１実施形態を軸に取付けた時の上面図である。
【図２】抜け止めピンを軸に取付ける時に抜け止めピンを拡開した図である。
【図３】抜け止めピンを軸から取外す時に抜け止めピンを拡開した図である。
【図４】本発明の１実施形態を軸に取付けた時の斜視図である。
【発明を実施する為の形態】
【０００９】以下、本発明を実施するための形態を、図を参照して説明する。
まず、本発明の抜け止めピンの構成について説明する。図１は本発明である抜け止めピンの１実施形態を軸４に取付けた時の上面図であり、本発明である抜け止めピンは、略長方形に屈曲し形成された頭部２と、頭部２一端から延設された挿通部１、頭部２の挿通部１延設他端から延設され、略長方形に屈曲し形成された矜持部３から構成され、これらが断面が円状である１本の線材からなる。挿通部１は直線状である。矜持部３が形成する略長方形は頭部２が形成する略長方形が形成する平面とおよそ平行になるように、かつ、矜持部３が形成する略長方形に内接する円は、本発明が取り付けられる軸４の外径より小さく形成され、本発明が軸に取付けられた時、当該略長方形は弾性変形により拡開し、略長方形状の４辺のうちいずれか複数の辺が軸４の外径に当接し、軸４を弾性力によって矜持する。また本発明を構成する線材の断面は円状ではなく、楕円といった円弧状でもよい。
頭部２は図では略長方形状に屈曲し形成されているが、略長方形状ではなく、例えば円弧状のもの等、特定の形状によるものではない。
【実施例】
【００１０】次に図２を用いて本発明である抜け止めピンの使用方法を説明する。
本発明である抜け止めピンを使用する場合、まず挿通部１と矜持部３を、矜持部３の略長方形が形成された平面に対し直角方向に、頭部２が中心となるように、挿通部１が、軸４に穿設された孔４１に挿通できる程度に弾性変形により拡開（拡開１）し、挿通部１を軸に穿設された穴に挿通する。この時、図２のように矜持部３の頭部２の対角側の屈曲部３１を、軸の端部に当接させ、挿通部１を軸４の軸方向に押し込み弾性変形させ、挿通部１の頭部４他端が、軸４に穿設された孔４１にかかるようにして軸４の周方向に抜け止めピン全体を動かすことで、挿通部１を孔４１に挿通しやすくなる。【００１１】次に屈曲部３１を拡開１による弾性変形から復帰する方向に、軸４に対して押し込むことにより、矜持部３の辺がそれぞれ軸の端部周辺に当接し滑り込んでいき、矜持部３は略長方形の角がそれぞれ弾性変形し拡開（拡開２）、軸に略長方形の辺がそれぞれ当接しながら拡開１による弾性変形から復帰することで、本発明たる抜け止めピンは軸４に取付けられる。【００１２】本発明である抜け止めピンは、孔４１に挿通部１を挿通することで、軸４の軸方向に動かず、また矜持部３の略長方形の辺がそれぞれ弾性力により軸を矜持することで軸４の周方向に動かず取付けることが可能となり、軸４の取付体の脱落を防ぐことが可能となる。【００１３】次に本発明である抜け止めピンの取外し方を、図３を用いて説明する。本発明である抜け止めピンを取り外す時、挿通部１と矜持部３を、矜持部３の略長方形が形成された平面に対し直角方向に、頭部２が中心となるように拡開（拡開３）する。この時、挿通部１は孔４１に保持されるので、屈曲部３１を引っ張るだけでよい。拡開３を行っているとき、矜持部３は軸の外周面にそって拡開（拡開４）する。拡開３により、図３のように矜持部３の頭部２他端側２辺が軸に当接しないところまで拡開し、挿通部１を孔４１から引抜く事で、本発明である抜け止めピンは塑性変形せず、弾性変形により取外すことが可能である。
【符号の説明】
【００１４】    １    挿通部
２    頭部
３    矜持部
３１    屈曲部
４    軸
４１    孔
【図１】
2013108615.tif 000003
【図２】
2013108615.tif 000004
【図３】
2013108615.tif 000005
【図４】
2013108615.tif 000006